(57)【要約】【課題】  プリンタドライバの高機能化に伴い、設定項目が多くなり、プリンタドライバ設定が煩雑になってきている。【解決手段】  プリンタドライバで設定可能な全ての項目を一覧表示する手段、一覧表示されている各項目と印刷設定項目を関連付け、一覧表示で選択されている項目の、印刷設定画面を表示する手段、複数の候補から選択するような設定項目に切り替える場合は、設定画面に切り替えた後に選択候補を表示する手段、印刷設定画面に切り替えた場合に、選択された項目を点滅表示させる手段、一覧表示されている各項目と各項目の説明ファイルを関連付け、一覧表示で選択されている項目の説明を表示する手段を有する事により、プリンタドライバでの設定項目を一覧表示で確認する際に、一覧表示画面上の操作だけで適切な印刷設定画面や印刷機能説明画面への切り替えができる事で印刷設定や設定の機能確認を容易に行う事が可能になる。【選択図】  図６
2007133677.tif 000002
【特許請求の範囲】
【請求項１】
プリンタを制御するための設定を複数の機能設定画面から行う情報処理装置において、プリンタドライバで設定可能な全ての項目を一覧表示する画面を持つ事を特徴とする情報処理装置。
【請求項２】
上記情報処理装置で表示する一覧表示画面内の各項目と印刷設定項目を関連付け、一覧表示画面内の選択により、関連付けられた設定項目が含まれる印刷設定画面に切り替える事を特徴とする請求項１に記載の情報処理装置。
【請求項３】
上記情報処理装置で一覧表示に関連付けられた印刷設定項目を表示する際に、複数の候補から選択するような設定項目に切り替える場合は、設定画面に切り替えた後に選択候補を表示する事を特徴とする請求項１、２に記載の情報処理装置。
【請求項４】
上記情報処理装置で一覧表示に関連付けられた印刷設定項目に切り替えた場合に、選択された項目を点滅表示する事を特徴とする請求項１から３に記載の情報処理装置。
【請求項５】
上記情報処理装置で表示する一覧表示画面内の各項目と説明ファイルを関連付け、一覧表示画面内の選択により、関連付けられた設定項目が含まれる説明画面を表示する事を特徴とする請求項１から４に記載の情報処理装置。
【発明の詳細な説明】
【技術分野】
【０００１】
パーソナルコンピュータ等の情報処理装置における、プリンタ装置の設定画面の制御方法に関する発明である。
【背景技術】
【０００２】
プリンタの高機能化に伴い、情報処理装置からプリンタに対しての機能設定項目が増加している。プリンタドライバでは、複数の印刷設定画面を持ちそれぞれの設定画面から印刷設定を行ったり、印刷設定された内容をプレビュー画面上で表示したりして、容易に印刷設定が行えるような工夫がされている。
【０００３】
また、印刷設定を容易に確認するため設定機能の一覧表示を行うものもある。
【０００４】
プリンタドライバの中にはプレビュー画面上で設定変更を行えるようにする事で、他の印刷設定画面に移動せずに設定を行わせるものがある。（例えば特許文献１参照）
【特許文献１】特開2000-250683号公報
【発明の開示】
【発明が解決しようとする課題】
【０００５】
しかしながら、上記従来例ではプレビュー画面に表示する情報やプレビュー画面から設定できる項目に限りがあるため、複数の設定を行う場合や、それらの機能確認を行うためには、プレビュー画面上の設定だけでなく、印刷設定画面を切り替えながらの操作が必要になっていた。
【課題を解決するための手段】
【０００６】
本発明は、プリンタドライバで設定可能な全ての項目を一覧表示する手段、一覧表示されている各項目と印刷設定項目を関連付け、一覧表示で選択されている項目の、印刷設定画面を表示する手段、複数の候補から選択するような設定項目に切り替える場合は、設定画面に切り替えた後に選択候補を表示する手段、印刷設定画面に切り替えた場合に、選択された項目を点滅表示させる手段、一覧表示されている各項目と各項目の説明ファイルを関連付け、一覧表示で選択されている項目の説明を表示する手段を有する。
【発明の効果】
【０００７】
上記構成により、プリンタドライバでの設定項目を一覧表示で確認する際に、一覧表示画面上の操作だけで適切な印刷設定画面や印刷機能説明画面への切り替えができる事で印刷設定や設定の機能確認を容易に行う事が可能になる。
【発明を実施するための最良の形態】
【０００８】
以下図面を参照して本発明の実施例を詳細に説明する。
【０００９】
図１は実施例におけるプリンタの構成を示すブロック図である。
【００１０】
図中、１はプリンタ本体。２はシステムバス、３はUSBインターフェース、４はネットワークインターフェースであり、ネットワークを介して図２の情報処理装置に接続される。５はＣＰＵ、６はメモリで画像色変換テーブルやプロファイル等を記憶する。７はフラッシュＲＯＭであり、画像処理のためのプログラム等を格納する。８はＥＥＰＲＯＭでテーブルやプロファイルを保持するデバイスのリスト等を記憶する。９はセンサでありカセット挿入、用紙サイズ、用紙種等を検出する事が可能である。１０は操作パネルで、プリンタの設定等を行ういくつかのキーとプリンタのステータス等を表示する表示部で構成される。１１はプリンタエンジンでホストからのデータを印字する印字ヘッドや印字ヘッドを駆動するモータなどで構成される。１２はプリンタエンジンの中のヘッド回復部で、印字ヘッド回復モータ等で吸引、ワイピング、キャッピング等の回復動作を行なう。
【００１１】
図２は実施例において印刷の指示を出す情報処理装置の構成を示すブロック図である。
【００１２】
図中、１３は情報処理装置本体、１４はシステムバス、１５は情報処理装置全体を制御するＣＰＵ、１６はメモリ、１７は外部記憶部で、プログラムやデータが保存されている。１８は表示部である。１９はUSBインターフェースでケーブルを介してプリンタに接続される。２０はネットワークインターフェースであり、ネットワークを介してプリンタに接続される。
【００１３】
図３はプリンタドライバの機能一覧表示の例である。
【００１４】
機能一覧表示画面では、プリンタドライバで設定されている全ての機能を一覧表示する。一覧表示されている各項目は選択状態にすることが可能で、選択されている項目は２１のように反転表示される。２２は機能設定画面表示ボタンで、選択されている項目に関連付けられた機能設定画面を表示する。２３はヘルプ画面表示ボタンで、選択されている項目に関連付けられたヘルプ画面を表示する。
【００１５】
図４は一覧表示の設定ボタン選択により表示する印刷設定画面の例である。
【００１６】
一覧表示では用紙の種類が選択されていたので、印刷設定画面の用紙の種類を表示し用紙の種類の選択肢を表示したものである。図中２４は設定機能を表すタイトルで設定機能機能切り替え後に、ブリンクして切り替え部がわかるようになっている。図中２５は選択可能な用紙種の一覧表示で、設定機能切り替え後に、一覧表示することにより、機能選択を容易にする。
【００１７】
図５は一覧表示のヘルプボタン選択により表示するヘルプ画面の例である。
【００１８】
一覧表示では上下余白なしが選択されていたので、その機能を説明する画面を表示している。
【００１９】
以下、図６に示すフローチャートに従って、以上の構成を備え、印刷時に一覧画面を表示した後に、表示されている各項目の選択により印刷設定画面への切り替えや、ヘルプ画面を表示する方法について詳細に説明する。
【００２０】
ステップ1において情報処理装置上で印刷が選択されたため、印刷設定画面を表示した後に、一覧画面表示が選択されたため、ドライバの機能一覧を表示する。
【００２１】
ドライバの機能一覧は図３に示すように、ドライバから設定可能な全ての項目の一覧を表示する。ステップ2では、機能一覧で表示されている項目が選択されたかどうかを判断する。選択された場合はステップ3に進む。ステップ3では選択された項目を２１に示すように反転表示する。反転表示後ステップ2に戻る。
【００２２】
ステップ4では図3中に配置されているヘルプボタンが選択されたかどうかを判断する。選択されている場合にはステップ5に、そうでない場合はステップ6に進む。ステップ5では、図5に示すようなヘルプ画面を表示する。一覧表示内の各項目は、それぞれを説明するヘルプファイルに関連付けられているため、ヘルプ画面を表示した場合は、選択されている項目のヘルプが表示される。
【００２３】
ステップ6では図3中に配置されている設定ボタンが選択されたかどうかを判断する。選択されている場合にはステップ7に、そうでない場合はステップ2に戻る。
【００２４】
ステップ7では印刷設定画面を表示する。一覧表示されている各項目は、それぞれの項目を設定する印刷設定画面に関連付けられているため、一覧表示で選択されている機能を含む印刷設定画面を表示して、ステップ8に進む。
【００２５】
ステップ８では選択された機能が、幾つかの選択肢の中から決定する機能かどうかを判断する。選択肢を表示する場合はステップ９に、そうでない場合はステップ１０に進む。
【００２６】
ステップ９では選択肢の表示を行う。例えば用紙の種類のように幾つかの選択肢の中から所望の用紙を選ぶような機能の場合、図４に示すように、全ての選択肢を表示、ユーザの機能選択を容易にする。表示後ステップ１０に進む。
【００２７】
ステップ１０では選択された機能がなにかをユーザに通知するため、機能のタイトル表示を点滅表示する。例えば用紙の種類が選択された場合には、図４２４のタイトル部分が点滅表示して、終了する。
【図面の簡単な説明】
【００２８】
【図１】実施例におけるプリンタを示すブロック図。
【図２】実施例における情報処理装置を示すブロック図。
【図３】実施例において表示するプリンタドライバの一覧表示画面例。
【図４】実施例において一覧表示画面内の操作で表示するプリンタドライバの印刷設定画面例。
【図５】実施例において一覧表示画面内の操作で表示するプリンタドライバのヘルプ画面例。
【図６】実施例におけるフローチャートを示した図である。
【符号の説明】
【００２９】
１  プリンタ本体
２  プリンタのシステムバス
３  プリンタのUSB I/F
４  プリンタのネットワークI/F
５  プリンタのCPU
６  プリンタのmemory
７  プリンタのFlash ROM
８  プリンタのEEPROM
９  プリンタのカセット挿入、用紙サイズ等を検出するセンサ
１０  プリンタの操作パネル
１１  プリンタのエンジン
１２  プリンタのヘッド回復部
１３  情報処理装置本体
１４  情報処理装置のシステムバス
１５  情報処理装置のCPU
１６  情報処理装置のmemory
１７  情報処理装置の外部記憶部
１８  情報処理装置の表示部
１９  情報処理装置のUSB I/F
２０  情報処理装置のネットワークI/F
２１  プリンタドライバの一覧表示画面において、選択されている項目の表示例
２２  プリンタドライバの一覧表示画面において、印刷設定画面を表示するための設定ボタン例
２３  プリンタドライバの一覧表示画面において、ヘルプ画面を表示するためのヘルプボタン例
２４  プリンタドライバの印刷設定画面における設定機能を表すタイトル
２５  プリンタドライバの印刷設定画面における選択可能な用紙種の一覧表示
２６  プリンタドライバの一覧表示画面から表示したヘルプ画面で、一覧表示画面で選択されていた項目のヘルプを表した例
【図１】
2007133677.tif 000003
【図２】
2007133677.tif 000004
【図３】
2007133677.tif 000005
【図４】
2007133677.tif 000006
【図５】
2007133677.tif 000007
【図６】
2007133677.tif 000008